(57)【要約】【課題】各種作業を行う時に用いるゴム手袋やビニル手袋の下に使用するインナー手袋において、アウター手袋の装着性に優れ、且つ指先を使用する細かい作業性を両立するインナー手袋を提供すること。【解決手段】５本指タイプのインナー手袋であって、インナー手袋の少なくとも１本以上の指部分の外側且つ掌側にシリコーンゴムによる滑り止め加工が施されていることを特徴とするインナー手袋である。親指、人差し指、中指のいずれか１本以上の指の、少なくとも指先から第一関節までの範囲内に滑り止め加工が施されていることが好ましい。【選択図】  なし【特許請求の範囲】
【請求項１】
５本指タイプのインナー手袋であって、インナー手袋の少なくとも１本以上の指部分の外側且つ掌側に滑り止め加工が施されていることを特徴とするインナー手袋。
【請求項２】
親指、人差し指、中指のいずれか１本以上の指の、少なくとも指先から第一関節までの範囲内に滑り止め加工が施されていることを特徴とする請求項１に記載のインナー手袋。
【請求項３】
滑り止め加工がシリコーンゴムによるものであることを特徴とする請求項１又は２に記載のインナー手袋。
【請求項４】
インナー手袋が、全繊度が１０〜６５デニールの糸による、ゲージ数が２５０〜５１２Ｎの交編みまたはゾッキ編みであることを特徴とする請求項１〜３に記載のインナー手袋。
【請求項５】
ポリアミド、ポリエステル、ポリウレタンから選ばれ、その中の１種類の又は複数を組み合わせた糸が使用されていることを特徴とする、請求項１〜４に記載のインナー手袋。
【発明の詳細な説明】
【技術分野】
【０００１】
本発明はラテックスやニトリルのようなゴム手袋やビニル手袋の下に着用するインナー手袋に関するものである。
【背景技術】
【０００２】
各種の作業を行う際、手袋を装着する場合がある。例えば、クリーンルーム内での作業、食品を取扱う作業、介護現場、また、医療現場ではゴム手袋やビニル手袋が着用されている。
【０００３】
上記で使用されるゴム手袋やビニル手袋は、細かい作業を行うために手先にもピッタリ密着するように次第に薄手のものが普及し、直接、手で取扱った時の触感に近づきつつある。その一方で、ピッタリ密着するように作られていることに加え、手袋自体が肌に滑りにくく、指先までピッタリ着用するためには多くの時間を要する。また、速く着用しようとして力を入れすぎたり、爪に引っ掛かったりした場合にゴム手袋が破れてしまうことがある。加えて、手を洗浄した後や、手袋着用中にむれ、湿った手に再び着用しようとした場合には、より手袋が滑りにくく、着用し難さがさらに増すことに加え、手袋が破れてしまう場合もある。
【０００４】
また、ビニル手袋の中には、比較的フィット感が低いタイプも数多くあり、主に食品を取扱う作業や介護現場で使用される。このような場合においても、手を洗浄した後や、手袋着用中にむれ、湿った手に再び着用しようとした場合には、手袋の着用が困難である。
【０００５】
このようなゴム手袋やビニル手袋の着脱し難さを改善するために、手袋の下に装着するインナー手袋が提案されている（特許文献１）。
【先行技術文献】
【特許文献】
【０００６】
【特許文献１】特開２０１２−１６２８１３号公報
【発明の概要】
【発明が解決しようとする課題】
【０００７】
特許文献１には、シームレス編みで、タテ方向の伸び率１５０％以上、伸長回復率が９０％以上であることを特徴とするインナー手袋が提案されている。装着感が改善され、手のサイズに関係なくフィット感を向上させることで、細かい作業を行うことに適した構造になっている。しかし、指先を使用する細かい作業では、ゴム手袋やビニル手袋（以降、これらを手袋、アウター手袋と称する場合がある）のような手袋とインナー手袋との間で滑り、指先を使用する細かい作業が困難になる場合があることが分かった。
【０００８】
また、特許文献１には、指先が露出するタイプのインナー手袋も提案されている。指先が露出することで、手袋とインナー手袋の間で生じる滑りは改善されるため、上述した指先を使用する細かい作業に対する作業性は改善されると考えられる。一方で、指口のたぐまりを抑制するため、インナー手袋の指口が第二関節の下となるように、長さを設定することが記載されているが、そのようにすると、露出されている指先の面積が大きくなる。そのため、ゴム手袋やビニル手袋を装着する場合に、これらの手袋自体が肌に滑りにくいため、装着まで時間がかかってしまう。加えて、手を洗浄した後や手袋着用中にむれ、湿った手に再び着用しようとした場合には、より手袋の着用し難さが増す。これらを防止するために指の露出面積を小さくするよう、インナー手袋の指口が指の第二関節より上にくるように設定すると、インナー手袋の上からゴム手袋等を着用する際、インナー手袋の指口がたぐまり、きちんと装着するのに、多くの時間を要してしまうという問題を生じる。特許文献１では、指口部をゴム編みにすることで、このようなインナー手袋のたぐまりを改善できると提案されているものの、インナー手袋をくり返し使用しているうちに、指口が緩み、インナー手袋の上からゴム手袋等を着用する際、インナー手袋がたぐまり、再装着性の悪化が起こるという問題が生じた。
【０００９】
このように、各種作業を行う時に用いるゴム手袋やビニル手袋の下に使用するインナー手袋において、アウター手袋の装着性に優れ、且つ指先を使用する細かい作業性を両立することは困難であり、それらを両立したインナー手袋の開発が強く求められていた。
【課題を解決するための手段】
【００１０】
本発明者らは、上記技術課題を克服すべく鋭意検討を重ねてきた。その結果、各種作業に用いるインナー手袋において、指先に滑り止め加工を施すことで、指先を使用する細かい作業性に優れ、且つ手袋の装着性も優れたインナー手袋を見出し、本発明を完成するに至った。
【００１１】
即ち本発明は、５本指タイプのインナー手袋であって、インナー手袋の少なくとも１本以上の指部分の外側且つ掌側に滑り止め加工が施されていることを特徴とするインナー手袋である。
【００１２】
本発明のインナー手袋は、親指、人差し指、中指のいずれか１本以上の指の、少なくとも指先から第一関節までの範囲内に滑り止め加工が施されていることが好ましい。
【００１３】
滑り止め加工は、シリコーンゴムによるものであることが好ましい。
【００１４】
本発明のインナー手袋は、全繊度が１０〜６５デニールの糸による、ゲージ数が２５０〜５１２Ｎの交編みまたはゾッキ編みであることが好ましい。
【００１５】
本発明のインナー手袋は、ポリアミド、ポリエステル、ポリウレタンから選ばれ、その中の１種類の又は複数を組み合わせた糸が使用されていることが好ましい。
【発明の効果】
【００１６】
本発明は、インナー手袋の指先に滑り止め加工を施すことで、インナー手袋とアウター手袋の密着性が向上し、指先での滑りが生じ難くなるため、指先を使用する細かい作業性が向上する。また、該指先部分の滑り止め加工は少量で滑り止め効果を発揮するため、アウター手袋装着時の引っ掛かりもなく、着脱が容易となる。また、指部分はインナー手袋で覆われているので、指先が無いタイプのインナー手袋で生じる開口部のたぐまりによる装着時の不快感も生じず、装着性に優れている。
【００１７】
更に、本発明のインナー手袋を、例えばストッキングで使用されるような吸湿性の低い糸であるポリアミド、ポリエステル、ポリウレタンを使用し、糸の全繊度が１０〜６５デニール、ゲージ数が２５０〜５１２Ｎであり、交編みまたはゾッキ編みで成形することで、アウター手袋を外した際の蒸れ感がすぐに解消され、アウター手袋を再装着することが容易となる。
【発明を実施するための形態】
【００１８】
以下、本発明を詳細に説明する。
【００１９】
本発明のインナー手袋は、５本指タイプのインナー手袋であって、インナー手袋の指部分の少なくとも指一本以上の外側且つ掌側に滑り止めがある。その中でも、指先を使った細かい作業に使われる親指、人差し指、中指の少なくとも指一本以上に滑り止めがあるものが好ましく、親指、人差し指、中指の指三本に滑り止めがあるものがより好ましい。
【００２０】
本発明のインナー手袋において滑り止め加工が施されている箇所（以下、滑り止め形成部ともいう）の位置はインナー手袋の指部分の外側且つ掌側である。本発明においてインナー手袋の外側とは、インナー手袋がアウター手指と接する側である。また、滑り止め形成部の位置は、インナー手袋の指部分の外側且つ掌側であれば用途に合わせて自由に選択してよい。その中でも、指先を使った細かい作業性の向上と、インナー手袋とアウター手袋間の滑りの抑制のために、インナー手袋の指部分外側の掌側の指先から指の付け根までの範囲内に滑り止め形成部があるのが好ましく、インナー手袋の指部分外側の掌側の、少なくとも指先から指第一関節までの範囲内に滑り止め形成部があるものがより好ましい。少なくとも指先から指第一関節までの範囲内に滑り止め形成部があれば、他の部分に滑り止め形成部があっても良い。
【００２１】
滑り止め形成部が、インナー手袋の指部分外側で、掌側の指先から指第一関節までの範囲に設けられている場合、指１本当たりの滑り止め形成部の面積の割合は、下記式（１）に基づいて、親指以外の四指では０．５％以上が好ましく、１０％以上がより好ましく、親指では０．７５％以上が好ましく、１５％以上がより好ましい。
【００２２】
指１本当たりの滑り止め形成部の面積割合（％）
＝各指部分の滑り止め形成部の総表面積÷各指部分の総表面積×１００    （１）
なお、式（１）に基づけば、親指以外の四指では掌側の指先から指第一関節までの範囲の面積割合は１６％であり、親指では２５％である。
【００２３】
本発明のインナー手袋の滑り止め加工は、特に限定されるものではなく、感熱法や凝固法により滑り止めとして機能するゴム等を滑り止め素材として付ける方法や、滑り止めとして機能する糸を指部分に用いて編む方法等が挙げられる。また、インナー手袋の指部分を粗面化し、凹凸を持たせることで摩擦力を持たせる方法もある。その中でも、製造の簡便性から感熱法や凝固法により滑り止めとして機能するゴム等を滑り止め素材として付ける方法が好ましく、インナー手袋と滑り止め素材の接着性の高さから、樹脂エマルジョン中に感熱化剤を添加した上で、予熱した手袋の型を浸漬して熱凝固させる感熱法を用いた方法による加工がより好ましい。
【００２４】
本発明のインナー手袋において、滑り止め加工を施されることで設けられる滑り止めの形状は特に限定されるものではなく、円形状、半円形状、楕円形状、線状など自由に選択できる。滑り止めは滑り止め形成部全面を覆うように付けても良いし、複数の滑り止めを滑り止め形成部に分散させて付けても良い。複数の滑り止めを分散させて付ける場合、各滑り止めの大きさには特に制限はない。
【００２５】
また、使用する滑り止め素材は、特に限定されるものではなく、軍手等の滑り止めとして用いられている公知のものを使用する事ができる。例えば天然ゴム、イソプレン、クロロプレン、アクリル酸エステル、スチレン−ブタジエン共重合体、アクリロニトリル−ブタジエン共重合体、ポリウレタン、ブチルゴム、ポリブタジエンゴム、シリコーンゴム等が挙げられる。その中でも、滑り止め性の観点から、摩擦係数０．２以上のものが好ましく、特に軟質性があり摩擦係数０．５以上のシリコーンゴムが最も好ましい。上記に示した各種素材を単独で用いても良いし、複数組み合わせて用いても良い。また、周知の添加物として硫黄、酸化亜鉛等の架橋剤、加硫促進剤、老化防止剤、顔料、シリカ等の増粘剤を添加してもよい。
【００２６】
本発明のインナー手袋は、少なくとも１本以上の指先に滑り止め加工が施されているので、指を全部覆うタイプのものであってもインナー手袋とアウター手袋の密着性が向上し、指先での滑りが生じ難くなるため、指先を使用する細かい作業性が向上する。
【００２７】
本発明のインナー手袋に使用する糸の素材は、特に制限されるものではなく、公知のものを使用することができる。例えば、ポリアミド、ポリエステル、ポリウレタン、アクリル、ポリ塩化ビニル、アセテート、レーヨン、キュプラ等の化学繊維や綿、絹、毛糸等の天然繊維が挙げられる。その中でも、例えばストッキングなどで使われているような、耐久性があり弾力や伸縮性の高いポリアミド、ポリエステル、ポリウレタン、アクリル等の合成繊維が好ましく、その中でも吸湿性の低いポリアミド、ポリエステル、ポリウレタンが最も好ましい。弾力や伸縮性が高いとインナー手袋を装着時のフィット感が向上し、装着感が低減されるとともに、ゴム手袋の着脱時にインナー手袋が手からずれることがなく、よりスムーズな着脱が可能となる。また、吸湿性が低いと、ゴム手袋を外した際に水分がすぐに蒸発することで、蒸れ感がすぐに解消されると共にゴム手袋をすぐに装着することが可能となる。また本発明においては、上記に示した各種素材の糸を単独で用いても良いし、複数組み合わせて用いても良い。
【００２８】
さらに、使用する糸の加工法に由来する形状は、特に限定されるものではなく、公知のものを使用する事ができる。例えば、スパンヤーン、フィラメントヤーン等の普通単糸、ネップヤーン、スラブヤーン、コーンヤーン等の普通飾糸、片撚糸、諸撚糸、ノップヤーン、ループヤーン、カバーリング糸等の撚糸、加撚−熱固定−解撚法、仮撚法、高圧エアージェット法、賦型法、複合巻縮法、混繊法等による嵩高加工糸等が挙げられる。その中でも、伸縮性の観点からカバーリング糸や嵩高加工糸が好ましい。更に、強度と伸縮性を両立させるため、カバーリング糸を使用することが特に好ましい。カバーリング糸は、ダブルカバーリングヤーンでもシングルカバーリングヤーンでも良い。作業性の観点から、伸びのよいストレッチ性があり、ソフトな肌触りであるシングルカバーリングヤーンが最も好ましい。カバーリング糸の芯糸と鞘糸は上記に示す素材の糸が使用される。糸の強度、伸縮性を考慮すると、芯糸にポリウレタン、鞘糸にポリアミドが最も好適に用いられる。また、芯糸は、モノフィラメントでも、マルチフィラメント（２〜１０本）でもよい。また、鞘糸は１０〜５０本のマルチフィラメントが好適である。また、芯糸への鞘糸の巻き付け回数は、７００〜２０００回／ｍとするのが好ましい。また、このようなカバーリング糸を１００％用いても良いが、普通単糸等のその他形状の糸と併用しても良い。併用する場合には、強度と伸縮性を付与する目的から、カバーリング糸が５０重量％以上で用いられる事が好ましく、７０重量％以上がより好ましい。
【００２９】
さらに、本発明に使用するインナー手袋の製造方法の製造方法は、特に限定されるものではなく、シームレス編機等、公知のものを使用する事ができる。その製造方法は、例えば、５本指手袋は、先ず人差し指、中指、薬指を編成した後、これらに続いて三本胴の編成を行う。次に小指の指袋を編成して、小指をこの三本胴と接合して四本胴の編成を行う。続いて親指の指袋の編成を行った後、四本胴と親指の指袋とを接合し、手首まで延びる五本胴が筒状でシームレスの状態に編成する。
【００３０】
また、ゲージ数は２５０Ｎ〜５１２Ｎとすることが好ましく、より好ましくは２７０Ｎ〜５１２Ｎ、さらに３００Ｎ〜５１２Ｎとすることが好ましい。ゲージ数を２５０Ｎ〜５１２Ｎとすることで弾性力を付与させることができ、インナー手袋のフィット感が向上し、装着感の低減や指先の感覚を保つ効果が向上する。ゲージ数が２５０Ｎよりも少ない場合であると、弾性力が弱くフィット感が低減し、作業中のインナー手袋のズレが生じたり、ゴム手袋脱着時に、インナー手袋がズレたり手から脱げてしまったりする。ゲージ数は大きければ大きい程肌触りやフィット感が増すため、より好ましい。ここで、ゲージ数とは９．５２５ｃｍあたりの編み目の数を示す。
【００３１】
本発明のインナー手袋の生地の厚みは、特に制限されるものではなく、一般的に使用される全繊度の糸を使用することができる。その中でも、インナー手袋の生地の厚みが気にならない１０〜６５デニールの細い糸が好ましい。ここで、糸の全繊度とは番手やデニールで表わされるものであり、使用する糸の材質によって名称が使い分けられるものである。
【００３２】
本発明のインナー手袋の形状は、５本指タイプのものである。またインナー手袋の編み方は、特に限定されるものではなく、公知のものを使用する事ができる。例えば、交編み又はゾッキ編が挙げられる。その中でも、強度や耐久性の観点から、ゾッキ編みが特に好ましい。
【００３３】
本発明のインナー手袋と共に使用するアウター手袋は、特に限定されず、公知のものを使用する事ができる。例えば、天然ゴム手袋、ビニル手袋、ニトリルゴム手袋、ポリウレタン手袋、シリコーン手袋、ハイパロン手袋、フッ素ゴム手袋等が挙げられる。特に薄く作業性のよい天然ゴム手袋、ビニル手袋、ニトリルゴム手袋等をアウター手袋として本インナー手袋を用いる事により、作業性確保の効果が高く発揮され、好適である。また、繊細な作業が要求されつつ、感染予防の為に手袋の脱着が多い医療従事者、例えば、医師、歯科医、看護師、歯科衛生士等が医療用手袋のインナー手袋として用いる事が特に好適である。また、本発明のインナー手袋は、洗濯耐久性に優れており、洗濯して何度も使用可能である。
【実施例】
【００３４】
以下に実施例を挙げて本発明を具体的に説明する。なお、本発明は以下に述べる実施例に限定されるものではない。
【００３５】
＜インナー手袋の製造＞
各実施例および比較例のインナー手袋は、材質「純綿」のものは、糸が純綿のものをゲージ数３８Ｎ、３０番手でシームレス編み機を用いて作成した。また、材質「ポリウレタン／ナイロン」のものは、糸がシングルカバーリングヤーン＜ポリウレタン（芯糸）/ナイロン（鞘糸）＞のものをゲージ数３５０Ｎ、３０デニールでシームレス編み機を用いてゾッキ編みで作製した。
【００３６】
また、インナー手袋への滑り止め加工は感熱法により施した。感熱化剤を添加した、シリコーンゴム又はウレタンゴムのエマルジョン樹脂を調製した。インナー手袋を感熱法用のアルミニウム製手形に装着し、滑り止めを付ける部分を１００度に加熱したものを、上記エマルジョン樹脂に浸漬させた後に、乾燥等の後処理を行うことで、インナー手袋の外側表面にシリコーンゴム又はウレタンゴムの滑り止めの被膜を被覆させた。
【００３７】
滑り止めは、滑り止め形成部が指先から第一関節までのものは指定する面積割合となるように円形状のものを一つ設けた。また、それ以外のものは、指定する滑り止め形成部に指定する面積割合となるように楕円形状の滑り止めを一つ設けた。なお、面積割合が、３２％及び５０％である実施例については、インナー手袋の指部分の外側且つ掌側の、滑り止めを設ける位置全面が覆われるように滑り止め加工を施した。
【００３８】
設けられた滑り止めの材質
シリコーンゴム：摩擦係数０．５１のシリコーンゴム
ウレタンゴム：摩擦係数０．２３のウレタンゴム
各実施例および各比較例で実施した、インナー手袋の評価方法を以下に示した。
【００３９】
１）再装着性
インナー手袋を着用した上にラテックスグローブを着用した。装着３０分後にラテックス手袋のみ外し、すぐに新しいラテックスグローブを着用した。アウター手袋に引っかからず再装着できた場合は◎（５秒未満）、アウター手袋にほぼ引っかからず再装着できた場合は○（１０秒未満）、インナー手袋をしていない場合より早く、効果が見られる場合は△（２０秒未満）、インナー手袋をしていない場合と同等でアウター手袋の再装着が困難な場合は×（２０秒以上）とした。
【００４０】
２）作業性
インナー手袋を着用した上にラテックスグローブを着用し、歯科の根管治療に使われるリーマー（先端径０．１５ｍｍ、長さ１８ｍｍ）を、内径０．３ｍｍ、深さ１０ｍｍの模擬窩洞に入れ、擬似的にリーミング作業を１０回行い、作業性Ａ〜Ｃを評価した。
【００４１】
作業性Ａ：指を曲げた際の指の違和感を１〜３段階で評価した。
【００４２】
１は指を曲げた際に違和感があり、作業の効率に問題が生じる場合。２は作業に問題はない場合。３はアウター手袋のみをつけている場合と同等で、指を曲げる際の違和感がなく作業できる場合である。
【００４３】
作業性Ｂ：滑り止めが加工された指において、滑り止めの効果を感じる程度を１〜３段階で評価した。
【００４４】
１は指先でインナー手袋とアウター手袋との間での滑りが生じ滑り止めの効果を感じない。２は滑り止めの効果を感じる場合。３は滑り止めの効果をより感じる場合である。
【００４５】
作業性Ｃ：リーミング作業の精度を１〜３段階で評価した。
【００４６】
１はリーミング作業において正確に行えた回数が１０回中７回より少ない場合。２はリーミング作業を１０回中７〜８回正確に行うことができる場合。３はリーミング作業が１０回中９〜１０回正確に行うことができる場合である。
【００４７】
３）装着感
装着感の評価は、インナー手袋とアウター手袋を装着したときに、インナー手袋の厚さが全く気にならない場合は○、インナー手袋の厚さが気になるがアウター手袋を装着できる場合は△、インナー手袋が厚くアウター手袋を装着できない場合は×とした。
【００４８】
４）吸湿性
インナー手袋を着用し、そのまま水で手を洗浄した。乾燥したタオルに手のひらを２回、手の甲を２回あて、水分をタオルに吸着させた後、インナー手袋の吸湿性を評価した。評価は、インナー手袋をしていない時と同等程度の拭き取り感が得られる場合は吸湿性無、インナー手袋に水分が残っている感があり、手を強く握ったり、インナー手袋を絞ったりした場合に水分が出てくる場合は吸湿性有とした。
【００４９】
＜実施例１＞
純綿性の指先まで覆われたインナー手袋に、人差し指の外側且つ掌側の指先から第一関節までの範囲内に、式１による面積が０．５％となるように円形状のシリコーンゴムの滑り止めを一つ設け、滑り止め加工が施されたインナー手袋を作製した。得られたインナー手袋について、再装着性、作業性、吸湿性及び装着感を評価した。評価結果を表２に示した。
【００５０】
＜実施例２〜２２＞
インナー手袋の材質、滑り止めの材質及び面積、滑り止め加工を施す位置及び指を、表1に示すものに変更した他は実施例１と同様にしてインナー手袋を作製し、評価した。評価結果を表２に示した。
【００５１】
＜参考例＞
インナー手袋を用いないでアウター手袋を着用した場合について評価した。評価結果を表２に示した。
【００５２】
＜比較例１＞
純綿性の指先まで覆われたインナー手袋であって、滑り止め加工を施していないインナー手袋を作製し、評価した。評価結果を表２に示した。
【００５３】
＜比較例２＞
ポリウレタン／ナイロン性の指先まで覆われたインナー手袋であって、滑り止め加工を施していないインナー手袋を作製し、評価した。評価結果を表２に示した。
【００５４】
＜比較例３＞
純綿性の、各指の指先から第一関節までが覆われておらず開口部を有するインナー手袋であって、滑り止め加工を施していないインナー手袋を作製し、評価した。評価結果を表２に示した。
【００５５】
【表１】
2019173213.tif 000002
【００５６】
表１で用いた用語は以下の通りである。
【００５７】
指先の「閉」とは、指全体がインナー手袋の生地で覆われているものであり、「解放」とは各指の指先から第一関節までが覆われていないものであり、開口部を有するものである。
【００５８】
滑り止めの「面積」とは、上記式１で表わされる、指１本当たりの滑り止め形成部の面積割合の値である。
【００５９】
滑り止めの「位置」とは、滑り止めが存在している滑り止め形成部の位置を表すものであり、インナー手袋の外側かつ掌側において、指先から指の第何関節（第一関節、第二関節、「全部」とは指の付け根部分までを表わす）までの範囲内に滑り止めが存在しているのかを表す。
【００６０】
滑り止めの「有無」とは、滑り止め加工が施されている指を示すものであり、滑り止め加工が施されている指に対して○を表示している。
【００６１】
【表２】
2019173213.tif 000003
【００６２】
実施例１〜２２は、本発明で示される構成を満足するようなインナー手袋であるが、いずれの場合においてもアウター手袋の再装着性が良好であり、且つ指先の感覚が重要となる細かな作業性も良好であることを示していた。
【００６３】
また、インナー手袋の材質が純綿の実施例１〜１１と、ポリウレタン／ナイロンの実施例１２〜２２を比較すると、実施例１２〜２２は吸湿性が低く良好である。加えて、アウター手袋装着時に、インナー手袋の厚みを感じ難く、装着感も良好である。
【００６４】
参考例のインナー手袋を装着していない場合では、その作業性はアウター手袋のみに依存するため、細かい作業性は良好である。しかしながら、再装着性の評価では、アウター手袋装着中に手が蒸れるため、再装着性は悪い。
【００６５】
比較例１、２の滑り止め加工を施していないインナー手袋の場合では、再装着性は良好であるが、細かい作業性を行う際には、インナー手袋とアウター手袋間の滑りが生じるため、作業性が悪い。
【００６６】
比較例３の指先が無く、開口部を有するインナー手袋の場合では、細かい作業を行う際は、その作業性はアウター手袋のみに依存するため、細かい作業性は良好である。しかしながら、再装着性の評価では、インナー手袋の開口部がアウター手袋との摩擦でたぐまるため、アウター手袋の再装着性が悪い。